(57)【要約】      （修正有）【課題】均一な光源を確保するバックライトモジュールのフレームを提供する。【解決手段】枠１１および反光層１２を備える。反光層１２は白色プラスチック材質を直接枠１１に射出成形されることにより形成される。反光層１２は反射率が高いため、バックライトモジュールのフレーム１が反射により集光する機能を高め、液晶ディスプレイが均一な高輝度の光源を有することを可能にした。本考案はまた、前記白色プラスチック材質は高反射率のＰＣプラスチック材料であること、前記枠の一方の側面は１つ以上の接合溝１２１を配置すること、前記枠の一方の側面は１つ以上の接合口１２２をさらに配置することをも特徴とする。【選択図】図２
0003130253.tif 000002
【実用新案登録請求の範囲】
【請求項１】
液晶ディスプレイにおいて、バックライトモジュールを固定し、枠および反光層を備えるバックライトモジュールのフレームであって、
前記反光層は白色プラスチック材質を直接前記枠に射出成形することにより形成されることを特徴とするバックライトモジュールのフレーム。
【請求項２】
前記白色プラスチック材質は高反射率のＰＣプラスチック材料であることを特徴とする請求項１に記載のバックライトモジュールのフレーム。
【請求項３】
前記枠の一方の側面は１つ以上の接合溝を配置することを特徴とする請求項１に記載のバックライトモジュールのフレーム。
【請求項４】
前記枠の一方の側面は１つ以上の接合口をさらに配置することを特徴とする請求項１に記載のバックライトモジュールのフレーム。
【考案の詳細な説明】
【技術分野】
【０００１】
本考案は、バックライトモジュールのフレームに関し、特に液晶ディスプレイパネルに配置されるバックライトモジュールのフレームに関する。
【背景技術】
【０００２】
液晶ディスプレイは急速な進歩と大衆的な価格により、徐々に従来のブラウン管、プロジェクションテレビ、さらにはプラズマテレビに取って代わる勢いである。液晶ディスプレイにおいて、バックライトシステムは液晶ディスプレイパネルのバックライトモジュールのフレームに固定され、バックライトシステムのブラウン管をＴＦＴ液晶パネルの主な光源として利用することにより表示の効果が得られる。ブラウン管はバックライトモジュールの中央に配置されることが多いが、液晶ディスプレイのパネルの両端が最も暗い部分になり、パネルに明るい部分と暗い部分がはっきり現れてしまった。
【０００３】
液晶ディスプレイ上で、ブラウン管の光線を均一に分散させるために、従来のバックライトモジュールのフレームは薄膜トランジスタ液晶パネルに近い面に、白色のＰＥＴなどの合成樹脂により製造された反光片を貼った。光線を反射させることにより、液晶ディスプレイ上の暗い部分を減少させ、バックライトモジュールが均一な平面光源を有することになった。しかしながら、人工の方法により反光片を貼ると、反光片が斜めにずれてしまったり、皺ができたりして、光線の反射に影響を及ぼし、液晶ディスプレイの画面の縁に近い部分に影を作ってしまった。
【特許文献１】特開２００４−７４７５６号公報
【考案の開示】
【考案が解決しようとする課題】
【０００４】
本考案の第１の目的は、反射率の良い反光層により液晶ディスプレイのバックライトモジュールが均一な光源を確保するバックライトモジュールのフレームを提供することにある。
本考案の第２の目的は、白色プラスチック材質を直接枠に射出成形することにより、フレームの製造過程において工程を削減し良品率を向上させて、生産コストを下げるバックライトモジュールのフレームを提供することにある。
【課題を解決するための手段】
【０００５】
上述の目的を達成するため、本考案は、バックライトモジュールのフレームを提供する。本考案のバックライトモジュールのフレームは枠および反光層を備える。反光層は白色プラスチック材質を直接枠に射出成形されることにより形成される。バックライトモジュールのフレームは、液晶ディスプレイにおいて、バックライトモジュールを固定するのに用いられる。
すなわち本考案のバックライトモジュールのフレームは、液晶ディスプレイにおいて、バックライトモジュールを固定し、枠および反光層を備えるバックライトモジュールのフレームであって、前記反光層は白色プラスチック材質を直接前記枠に射出成形することにより形成されることを特徴とする。
前記白色プラスチック材質は高反射率のＰＣプラスチック材料であることを特徴とする。
前記枠の一方の側面は１つ以上の接合溝を配置することを特徴とする。
前記枠の一方の側面は１つ以上の接合口をさらに配置することを特徴とする。
【考案の効果】
【０００６】
本考案は二色成形の技術により、バックライトモジュールのフレームに平坦でしわのない反光層を形成し、フレームの製造過程において反光片を貼る工程を削減し、良品率を向上させることにより、バックライトモジュールのフレームの生産コストを下げることができる。
【０００７】
高反射率の白色ＰＣプラスチック材料を利用してバックライトモジュールのフレームに反光層を射出成形することにより、影が発生することを防ぎ、光線がバックライトモジュールにおいて拡散される機能を向上させ、液晶ディスプレイの明るさおよび画質を高めることが可能になった。
【考案を実施するための最良の形態】
【０００８】
以下、本考案の実施形態を図面に基づいて説明する。図１は本考案の好適な一実施形態によるバックライトモジュールのフレームを示す斜視図である。図１に示すように、本考案のバックライトモジュールのフレーム１は枠１１および反光層１２を備える。図３は本考案の好適な一実施形態によるバックライトモジュールのフレームを示す断面図である。図４は図３の局部拡大図である。図３および４に示すように、枠１１は黒色合成プラスチックにより射出成形され、その周囲には複数の固定凹溝１１１を有し、固定凹溝１１１は液晶ディスプレイパネルおよびバックライトモジュールの他の構成要素をフレーム１に固定するのに用いられる。また、フレーム１のもう一方の側面は接合溝１２１および接合口１２２を有し、その上にプラスチック射出成形を施し、枠１１と反光層１２の結合強度を高める。
【０００９】
図５は本考案の好適な一実施形態によるバックライトモジュールのフレームを液晶モニターへ応用した完成図である。図５に示すように、反光層１２は白色プラスチック材質で、高反射率のＰＣプラスチック材料により枠１１の側面に射出成形される。製作に当たって、図２、図５に示すように、反光層１２は二色成形の技術によりＰＣプラスチック材料を直接枠１１の側面に射出成形される。この面はバックライトモジュールのフレーム１内部の側面であり、枠１１と反光層１２は一体成形の方法でバックライトモジュールのフレーム１を構成する。
【００１０】
図２は本考案の好適な一実施形態によるバックライトモジュールのフレームを示す斜視図である。図２に示すように、枠１１と反光層１２が一体成形の方法で結合された時、反光層１２は枠１１の側面に平らな状態で結合し、しわが寄ったり、歪んで枠１１から突出したりすることもない。
【００１１】
図３および４に示すように、反光層１２は枠１１に射出成形され、反光層１２は底部が枠１１の接合溝１２１および接合口１２２に嵌合され、枠１１と反光層１２の結合強度を高める。
【００１２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１３】
【図１】本考案の好適な一実施形態によるバックライトモジュールのフレームを示す斜視図である。
【図２】本考案の好適な一実施形態によるバックライトモジュールのフレームを示す斜視図である。
【図３】本考案の好適な一実施形態によるバックライトモジュールのフレームを示す断面図である。
【図４】図３の局部拡大図である。
【図５】本考案の好適な一実施形態によるバックライトモジュールのフレームを液晶モニターへ応用した完成図である。
【符号の説明】
【００１４】
１  バックライトモジュールのフレーム
１１  枠
１１１  固定凹溝
１２  反光層
１２１  接合溝
１２２  接合口
【図１】
0003130253.tif 000003
【図２】
0003130253.tif 000004
【図３】
0003130253.tif 000005
【図４】
0003130253.tif 000006
【図５】
0003130253.tif 000007